(57)【要約】【課題】設備コストを低く抑えることができ、設置が容易で、水分の多いＡＳＲに付着した土砂やガラス等を効果的に分離することもできる自動車シュレッダーダストの分別装置を提供する。【解決手段】自動車シュレッダーダストＡＳＲを投入する投入口３と、筒状の本体２の内部に水平に配置された回転軸５に装着され、投入口から本体内に投入されたＡＳＲの付着物（土砂ガラスＳ、金属Ｍ）を叩き落とす回転羽根６と、回転軸に装着され、回転羽根によって付着物を叩き落とした後のＡＳＲを排出口１０から排出する排出ロータ８と、回転羽根の下方に配置された篩分装置（スクリーン）９とを備える分別装置１。排出口から排出されるＡＳＲを分級する分級装置（サイクロン）１１を備え、分級装置によって分級され、気体と共に搬送されたＡＳＲを回収する固気分離装置（サイクロン）１２と、固気分離装置の下流側に気体を誘引する誘引ファン１３とを備えることができる。【選択図】図１
2014188387.tif 000002
【特許請求の範囲】
【請求項１】
自動車シュレッダーダストを投入する投入口と、
筒状の本体内に水平に配置された回転軸に装着され、前記投入口から該本体内に投入された自動車シュレッダーダストの付着物を叩き落とす回転羽根と、
前記回転軸に装着され、前記回転羽根によって付着物を叩き落とした後の自動車シュレッダーダストを排出口から排出する排出ロータと、
前記回転羽根の下方に配置された篩分装置とを備えることを特徴とする自動車シュレッダーダストの分別装置。
【請求項２】
前記排出口から排出される自動車シュレッダーダストを分級する分級装置を備えることを特徴とする請求項１に記載の自動車シュレッダーダストの分別装置。
【請求項３】
前記分級装置は、風力分級装置であって、
該風力分級装置によって分級され、気体と共に搬送された自動車シュレッダーダストを回収する固気分離装置と、
該固気分離装置の下流側に、前記気体を誘引する誘引ファンとを備えることを特徴とする請求項２に記載の自動車シュレッダーダストの分別装置。
【請求項４】
前記風力分級装置は、サイクロンであって、該サイクロンのディメンジョンを調整するか、前記誘引ファンによる誘引風量を調整するか、あるいはこれらの両方を行うことにより、前記固気分離装置で回収される自動車シュレッダーダストの量を制御することを特徴とする請求項３に記載の自動車シュレッダーダストの分別装置。
【発明の詳細な説明】
【技術分野】
【０００１】
本発明は、自動車を廃棄する際に生じる自動車シュレッダーダスト（以下「ＡＳＲ」という。）をセメント製造用燃料等に有効利用するための分別装置に関する。
【背景技術】
【０００２】
近年、自動車リサイクル法の施行によりＡＳＲのセメント燃料としての利用が進んでいる。ＡＳＲを高度燃料化する際は細破砕する必要があり、ＡＳＲには土砂、ガラス、金属等の異物が含まれているため、破砕機の破砕刃に損傷を与えたり、破砕刃の摩耗速度を高めたりしている。
【０００３】
そこで、例えば特許文献１には、篩分装置と、風力選別機と、２基の破砕機等を備え、建設廃材系プラスチック廃棄物や、廃ＡＳＲの様な、多様な異物や不純物が混入している廃プラスチックを含有する混合廃棄物をセメント焼成設備のバーナー吹込み用燃料としてリサイクルする処理装置が記載されている。
【先行技術文献】
【特許文献】
【０００４】
【特許文献１】特開２０１０−１９４８６０号公報
【発明の概要】
【発明が解決しようとする課題】
【０００５】
しかし、上記特許文献１記載の処理装置では、装置点数が多いため設備コストが高くなり、また、設置スペースによっては設置が困難になることがある。また、ＡＳＲの付着水分が増加すると土砂やガラス等の分離が困難になる虞がある。
【０００６】
そこで、本発明は、設備コストを低く抑え、設置が容易で、水分の多いＡＳＲに付着した土砂やガラス等を効果的に分離することも可能なＡＳＲの分別装置を提供することを特徴とする。
【課題を解決するための手段】
【０００７】
上記目的を達成するため、本発明は、ＡＳＲの分別装置であって、ＡＳＲを投入する投入口と、筒状の本体内に水平に配置された回転軸に装着され、前記投入口から該本体内に投入されたＡＳＲの付着物を叩き落とす回転羽根と、前記回転軸に装着され、前記回転羽根によって付着物を叩き落とした後のＡＳＲを排出口から排出する排出ロータと、前記回転羽根の下方に配置された篩分装置とを備えることを特徴とする。
【０００８】
本発明によれば、１台の装置でＡＳＲに付着している土砂、ガラス、金属等を破砕機に影響を及ぼさないレベルまで分離することができるため、設備コストを低く抑えることができ、設置も容易である。また、回転羽根で叩き落とすことで、水分の多いＡＳＲに付着した土砂やガラス等を効果的に分離することもできる。
【０００９】
上記分別装置は、前記排出口から排出されるＡＳＲを分級する分級装置を備えることができ、土砂、ガラス、金属等を分離した後のＡＳＲから可燃物を効率よく分離することができる。
【００１０】
前記分級装置を風力分級装置とし、該風力分級装置によって分級され、気体と共に搬送されたＡＳＲを回収する固気分離装置と、該固気分離装置の下流側に、前記気体を誘引する誘引ファンとを備えることができる。これによって、排出口から排出されるＡＳＲから、軟質プラスチックを主に含む可燃物を効率よく回収することができる。
【００１１】
前記風力分級装置をサイクロンとし、該サイクロンのディメンジョンを調整するか、前記誘引ファンによる誘引風量を調整するか、あるいはこれらの両方を行うことにより、前記固気分離装置で回収される自動車シュレッダーダストの量を制御することができる。
【発明の効果】
【００１２】
以上のように、本発明に係るＡＳＲの分別装置によれば、設備コストを低く抑えることができ、設置が容易で、水分の多いＡＳＲに付着した土砂やガラス等を効果的に分離することもできる。
【図面の簡単な説明】
【００１３】
【図１】本発明に係るＡＳＲの分別装置の要部を示す概略断面図である。
【図２】図１の分別装置のＡ−Ａ矢視及び全体構成図である。
【図３】本発明に係るＡＳＲの分別装置の分別効果を示すグラフであり、（ａ）はスクリーン径が３０ｍｍ、（ｂ）はスクリーン径が１０ｍｍの場合を表している。
【図４】本発明に係る分別装置による熱回収効果を示すグラフである。
【発明を実施するための形態】
【００１４】
次に、本発明を実施するため形態について図面を参照しながら詳細に説明する。
【００１５】
図１及び図２は、本発明に係る分別装置の一実施の形態を示し、この分別装置１は、筒状の本体２と、ＡＳＲを投入する投入口３と、投入されたＡＳＲを本体２に導入するスクリュー４と、本体２の内部に水平に配置された回転軸５と、回転軸５に装着された回転羽根６及び排出ロータ８と、回転羽根６の下方に配置されたスクリーン（篩分装置）９と、排出口１０から排出されるＡＳＲ（Ｄ）を分級する分級装置としてのサイクロン１１と、固気分離装置としてのサイクロン１２と、誘引ファン１３等を備える。
【００１６】
スクリュー４は、モータ１８によって回転する回転軸１７に装着され、投入口３から投入されたＡＳＲを本体２に押し込むようにして導入する。
【００１７】
回転軸５は、本体２の内部の中心部に水平に配置され、モータ１５によって伝導装置１４を介して７００ｒｐｍ程度の高速で回転する。
【００１８】
回転羽根６は、回転軸５に複数設けられ、回転軸５と共に高速回転し、ＡＳＲに付着する土砂やガラス等（以下「土砂ガラス」という。）を叩き落とす。
【００１９】
排出ロータ８は、回転軸５の排出口１０側の端部に装着され、回転軸５と共に高速回転し、スクリーン９を通過せずに本体２に残留するＡＳＲ（Ｄ）を排出口１０から本体２の外部に排出する。
【００２０】
スクリーン９は、ＡＳＲから分離した土砂ガラスＳを下方の系外に排出するために備えられる。
【００２１】
サイクロン１１は、本体２の排出口１０から排出されるＡＳＲ（Ｄ）を分級するために備えられる。サイクロン１１に代えて、慣性分級機等を用いることもできる。
【００２２】
サイクロン１２は、サイクロン１１で分離され、空気Ａ１と共に搬送されたプラスチック類Ｐ２を回収するために備えられる。サイクロン１２以外の固気分離装置を用いることもできる。
【００２３】
誘引ファン１３は、投入口３から空気を吸引し、本体２の内部、サイクロン１１、サイクロン１２を通過させ、系外に排出するために備えられ、誘引する空気の量を調整することで、サイクロン１１での分離径を調整し、サイクロン１２でのプラスチック類Ｐ３の回収量を調整することができる。
【００２４】
次に、上記構成を有する分別装置１の動作について、図１及び図２を参照しながら説明する。
【００２５】
ＡＳＲを分別装置１の投入口３に投入すると、投入されたＡＳＲはスクリュー４により本体２の内部に押し込まれ、高速回転する回転羽根６でＡＳＲに付着している土砂ガラスＳが叩き落とされる。ＡＳＲの付着水分が増加すると、土砂ガラスＳがＡＳＲ中の可燃物の表面に付着して分離し難い状態となるが、高速回転する回転羽根６を用いることで土砂ガラスＳが分離し易くなる。
【００２６】
叩き落とされた土砂ガラスＳは、スクリーン９を通過し、下方に排出される。一方、土砂ガラスＳを分離した後のＡＳＲ（Ｄ）は、排出ロータ８によって持ち上げられ、排出口１０から排出される。尚、土砂ガラスＳ以外にも、粒径の小さい金属Ｍもスクリーン９から排出される。
【００２７】
次に、排出口１０から排出されたＡＳＲ（Ｄ）をサイクロン１１において分級する。この分級によって、ＡＳＲ（Ｄ）は、下方に落下する主に硬質のプラスチック類Ｐ１及び金属Ｍと、空気Ａ１と共に搬送される主に軟質のプラスチック類Ｐ２とに分離される。
【００２８】
プラスチック類Ｐ２を含む空気Ａ１は、サイクロン１２で固気分離され、プラスチック類Ｐ３が回収され、固気分離後の空気Ａ２は、誘引ファン１３を介して大気に放出される。
【００２９】
上記のようにしてスクリーン９の下方に回収された土砂ガラスＳ及び金属Ｍは廃棄され、サイクロン１１で回収されたプラスチック類Ｐ１及び金属Ｍの混合物は、磁選機（不図示）等で金属Ｍを除去し、破砕機（不図示）で破砕された後、セメント焼成装置において燃料として用いることができる。また、サイクロン１２で回収したプラスチック類Ｐ３もセメント焼成装置において燃料として用いることができる。セメント焼成装置では、回収したプラスチック類Ｐ１、Ｐ３を適宜破砕してセメントキルンバーナの燃料として、又はそのまま仮焼炉で燃料として用いる。
【００３０】
次に、上記構成を有する分別装置１の分別効果及び熱回収効果について、図３及び図４を参照しながら説明する。
【００３１】
図３は、上記構成を有する分別装置１の分別効果を示す試験例である。スクリーン９のスクリーン径を変えることにより、スクリーン９の通過分（スクリーン下）、サイクロン１１での回収物（装置出口）、サイクロン１２での回収物（サイクロン回収）の構成割合を示している。
【００３２】
スクリーン径が３０ｍｍのスクリーン（以下「３０ｍｍスクリーン」という。）を用いた場合には、硬質プラスチック、軟質プラスチック等の可燃物がスクリーン下に落下する割合が３２％であるのに対し、スクリーン径が１０ｍｍのスクリーン（以下「１０ｍｍスクリーン」という。）を用いた場合には、１１％である。従って、より多くの可燃物を回収することのできる１０ｍｍスクリーンが望ましい。
【００３３】
図４は、分別装置１の熱回収効果を示す試験例であり、スクリーン径を変えたときのスクリーン９の通過分（スクリーン下）、サイクロン１１での回収物（装置出口）、サイクロン１２での回収物（サイクロン回収）の熱回収率を表している。３０ｍｍスクリーンを用いた場合には、サイクロン１１での回収物の熱回収率が３８％で、サイクロン１２での回収物の熱回収率は２０％であるのに対し、１０ｍｍスクリーンを用いた場合には、サイクロン１１での回収物の熱回収率が６０％で、サイクロン１２での熱回収率は２９％である。従って、１０ｍｍスクリーンを用いることが望ましい。
【００３４】
以上のように本実施の形態では、ＡＳＲから土砂、ガラス、金属等を１台の装置で破砕機に影響を及ぼさないレベルまで分離することで設備コストを低減し、設置も容易になり、さらに水分の多いＡＳＲに付着した土砂ガラスを効果的に分離することが可能となり、ＡＳＲから可燃物を効率よく分別してセメント焼成装置で有効利用することができる。
【００３５】
尚、上記実施の形態においては、排出口１０から排出されるＡＳＲ（Ｄ）を分級するためにサイクロン１１を設置したが、ＡＳＲ（Ｄ）を分級せずにそのまま系外に排出し、別途金属等を分離して可燃物を得てセメント焼成装置で有効利用することができる。また、サイクロン１１のディメンジョンを調整することで、サイクロン１２で回収される硬質プラスチック類の回収割合を増量させることができる。
【００３６】
また、受け入れたＡＳＲの性状によっては、分別装置１の前段に破砕装置を設置し、破砕した後分別装置１で分別処理を行ってもよい。
【００３７】
１  ＡＳＲの分別装置
２  本体
３  投入口
４  スクリュー
５  回転軸
６  回転羽根
８  排出ロータ
９  スクリーン
１０  排出口
１１、１２  サイクロン
１３  誘引ファン
１４  伝導装置
１５  モータ
１７  回転軸
１８  モータ
Ａ１、Ａ２  空気
Ｍ  金属
Ｐ１  （主に硬質の）プラスチック類
Ｐ２  （主に軟質の）プラスチック類
Ｐ３  （回収した）プラスチック類
Ｓ  土砂ガラス
【図１】
2014188387.tif 000003
【図２】
2014188387.tif 000004
【図３】
2014188387.tif 000005
【図４】
2014188387.tif 000006